(57)【要約】      （修正有）【課題】  ＩＣタグにおいて、データの改竄等を防止しセキュリティーを高める。【解決手段】  記憶装置１（１８）は、記憶領域１（６４）および書き込み制御回路６１、読み出し制御回路６２、読み取り専用化回路６３を有している。書き込み制御回路６１は、制御装置１からの書き込み要求の制御データに基づいて、ＩＣタグの持つ第１の機能の動作に基づくデータ処理回路１からの書き込みデータを記憶領域１（６４）に記録する。読み取り専用化回路６３は、制御装置１からの読み取り専用化要求の制御データに基づいて、記憶領域１（６４）へデータの書き込みを妨げる。これによってデータの書き込みを行うことができなくなり、記憶装置１（６４）は読み取り専用となる。読み出し制御回路６２は、制御装置１からの読み出し要求の制御データに基づいて、記録領域１（６４）に記録されているデータをデータ処理回路１へと送り出す。【選択図】  図７ａ
2006113981.tif 000002
【特許請求の範囲】
【請求項１】
Ａ１からＡｎまでのｎ（ｎは、ｎ≧１の自然数）箇所の切り離し可能部分と、前記Ａ１からＡｎまでの切り離し可能部分以外の部分Ｂと、から構成され、切り離し可能部分Ａｋ（ｋは、１≦ｋ≦ｎの自然数）上のＩＣｋの部分に、前記ＩＣｋと前記ＩＣｋ＋１とを結ぶ信号線路Ｌｋであって前記Ａｋが切り離された場合に切断される信号線路Ｌｋを備え、前記切り離し可能部分を、Ａ１からＡｎへと順番に切り離す毎に、タグの機能が第１の機能から第ｎの機能まで順次変化するＩＣタグであって、
切り離し可能部分Ａｋ＋１に設けられ前記信号線路Ｌｋの切断を検出するＬｋ切断検出装置と、前記信号線路Ｌｋの切断の有無の検出結果を前記Ａｋの切り離し判定に用いるＡｋ切り離し判定装置とを備えたＩＣタグにおいて、前記部分Ａｋが切り離されることにより情報Ｃｋ＋１が取得可能となることを特徴とするＩＣタグ。
【請求項２】
前記情報Ｃｋ＋１はタグの第ｋ＋１の機能を変化させるために必要な情報であることを特徴とする請求項１に記載のＩＣタグ。
【請求項３】
前記情報Ｃｋ＋１はタグの機能を第ｋ＋１の機能から第ｋ＋２の機能へ変化させるために必要な情報であることを特徴とする請求項１に記載のＩＣタグ。
【請求項４】
前記情報Ｃｋ＋１は、電気的又は機械的に読みとり可能なコード形式の表記がなされていることを特徴とする請求項１乃至請求項３のいずれかに記載のＩＣタグ。
【請求項５】
前記情報Ｃｋ＋１は、数字、文字、記号のうちの少なくともいずれかを含み、人間が読み取ることが可能な表記形式であることを特徴とする請求項１から３までのいずれか１項に記載のＩＣタグ。
【請求項６】
前記情報Ｃｋ＋１はＩＣタグの機能変更方法を記載したものであることを特徴とする請求項１から３までのいずれか１項に記載のＩＣタグ。
【請求項７】
前記情報Ｃｋ＋１は前記部分Ａｋに表示されることを特徴とする請求項１から６までのいずれか１項に記載のＩＣタグ。
【請求項８】
前記情報Ｃｋ＋１は前記部分Ａｋ＋１に表示されることを特徴とする請求項１から７までのいずれか１項に記載のＩＣタグ。
【請求項９】
前記情報Ｃｋ＋１は前記部分ＡｋとＡｋ＋１とで対となる情報として表示されることを特徴とする請求項１から８までのいずれか１項に記載のＩＣタグ。
【請求項１０】
前記情報Ｃｋ＋１は前記信号線Ｌｋを切断することにより取得可能な位置に表示されていることを特徴とする請求項１から８までのいずれか１項に記載のＩＣタグ。
【請求項１１】
少なくとも１つの物理的に分離可能な部分を有するＩＣタグであって、
前記分離可能な部分と前記分離可能な部分以外のＩＣタグ部分の全部分若しくは一部分が互いに層状に重ね合わされて前記情報を隠蔽していることを特徴とする請求項１から１０までのいずれか１項に記載のＩＣタグ。
【請求項１２】
少なくとも１つの物理的に分離可能な部分を有するＩＣタグであって、
前記分離可能な部分同士の全部分若しくは一部分が互いに層状に重ね合わされて前記情報を隠蔽していることを特徴とする請求項１から１０までのいずれか１項に記載のＩＣタグ。
【請求項１３】
前記情報の全部分若しくは一部分が重なり合っていることを特徴とする請求項１１又は１２に記載のＩＣタグ。
【請求項１４】
少なくとも１つの物理的に分離可能な部分を有するＩＣタグであって、
重なり合わされたタグの境界に前記情報が埋め込まれており、かつ、タグ間を結ぶ信号線路が前記境界において接合されていることを特徴とする請求項１から１０までのいずれか１項に記載のタグ。
【発明の詳細な説明】
【技術分野】
【０００１】
本発明は、ＩＣタグの一部に切り離しによる機能変更手段を備えたＩＣタグに関する。
【背景技術】
【０００２】
近年、紙やプラスチック等の絶縁体の上にアンテナとＩＣチップを備えたＩＣタグと、ＩＣタグと通信を行なうリーダー／ライター装置とにより構成された図８に示すようなタグシステムが、商品流通・在庫管理、店舗での精算処理、及び盗難防止用システムに関する要素技術として注目を集めている。図８の詳細な説明は省略する。上記タグシステムで使用される代表的なＩＣタグとしては、リーダー／ライター装置とタグとの通信に電波を使用するＲＦ部と、変調／復調部と、データ記憶部と、を備えたＩＣとアンテナで構成された非接触型のＩＣタグ（ＲＦＩＣタグ）が開示されている（特許文献１参照）。
【０００３】
図９は、紙やプラスチック等の絶縁体基板９０上に、コイルアンテナ２０１とＩＣチップ２１０とを積層して構成されたＲＦＩＣタグの構造例を示す斜視図である。図９に示すような簡単な構造に基づいて上記システムへの応用が可能である。
【０００４】
【特許文献１】特開平９−６２９３４号公報
【発明の開示】
【発明が解決しようとする課題】
【０００５】
商品に貼付するものであるというタグの性質上、上記背景技術において説明したＲＦＩＣタグに代表されるＩＣタグは、小型軽量であることが求められる。このため、ＩＣタグに搭載されるＩＣの回路構成は、単純な構成が好ましく、データ改竄防止用のハードウェアやソフトウェアをＩＣに搭載することは難しかった。このため、従来のＩＣタグにおいては、データの改竄が比較的容易であるという問題点が存在していた。
【０００６】
本発明は、簡単な構造を維持しつつ、データの改竄を防止することができるタグシステムを提供することを目的とする。
【課題を解決するための手段】
【０００７】
本発明は、ＩＣタグに切り離し可能部分を設け、前記切り離し可能部分をタグから切り離すことにより、ＩＣタグに対するデータ入力、及びＩＣタグからのデータ出力に対する制限を変化させ、データの改竄を防止するものである。ＩＣタグで行なう信号処理を変更、或いは格納データの自動的な更新、変更等、ＩＣタグの機能の変更を、リーダー／ライター装置を用いず、人の手により変更できる。ＩＣタグの外観の変化とＩＣタグの機能変化を連動させることで、ＩＣタグの機能が、どのような状態にあるかを人が目視で把握できる。
【０００８】
前記タグの切り離し可能部分を切り離して、初めて視認できる場所（タグの切り離し部分を切り離した跡、或いは切り離したタグの裏）に、外部入出力装置（リーダ／ライター）とタグ間の情報のやり取りに必要な情報（認証コード）の一部を記すことで、情報セキュリティを向上させることことができる。
【０００９】
例えば、本発明のＩＣタグは、少なくとも一箇所の切り離し可能な部分Ａ１を備え、Ａ１が付いている間は第１の機能を有し、Ａ１が切り離されることにより情報が表示され、その情報を用いることで第１の機能とは異なる第２の機能に変化することを特徴とする。具体的には、切り離し可能な部分であるＡ１、Ａ２及びＡ３により構成されるＩＣタグを商品に貼り付け、全て切り離されていない状態のみＩＣタグに製品に関する基本情報（製造工場、製品番号、ロット番号等）を書込み、追記可能としておく。そして、メーカーから出荷する際にＡの部分を切り離す。Ａ１の部分が切り離されることにより、製品に関する基本データの書換え、追記が不可能になる。この時点で初めて販売店で必要な情報（入荷日、販売店情報等）を書き込むための情報（アクセスコード等）が表示される。
【００１０】
次に、販売店で製品を入荷した際に前記タグ上に表示されている情報（アクセスコード等）を用いて、販売店で必要な情報を追記する。そして、消費者に製品を販売する際に、販売した日などの付加データを入力した後、Ａ２の部分を切り離して消費者に渡す。なお、Ａ１が付いたままの状態では、前記販売日等の販売店で必要な情報の入力をすることは出来ない。また、Ａ１及びＡ２が切り離されてＡ３の部分だけとなったタグは、ユーザー用の特定の領域のデータ入力が可能となり、この領域のデータアクセスをするためには、Ａ２が切り離されたことにより表示される情報（アクセスコード等）が必要となる。また、アクセスコードは販売店及びユーザ固有のＩＤと組み合わせることにより書き換えることが可能で、書換え後は表示されているアクセスコードを用いて、書き換えることも参照することも出来ない。さらにＡ１を切り離した場合と同様に、ＩＣタグにＡ１或いはＡ２が付いた状態では、ユーザ用の領域に付加データの入力、参照をすることは出来ない。なお、表示される情報として他の領域へのアクセス権限も提供することにより、販売店及びユーザに各々に対して参照可能なデータ領域の範囲を変えたりすることが可能となる。
【００１１】
このように、物理的に切り離し可能な部分を備え、切り離したことによって機能を変化させることにより、後々のデータの改ざんが極めて困難なタグを提供することが出来る。さらに切り離された後に表示される情報を用いることでよりセキュリティを高めることが可能となる。       
【発明の効果】
【００１２】
本発明によれば、切り離し可能な部分を備え、切り離されることにより初めて情報が表示される部分を備えたタグにおいて、切り離し可能な部分がすべて揃っている状態では、タグ内の特定の記憶領域のみにアクセス出来る。しかし、一部を切り離すと、その記憶領域にはアクセスできなくなり、別の記憶領域へのアクセスが可能となる。このように、タグの物理的な状態によって機能が変化するため、後からタグ内のデータを参照したり改ざんしたりすることが極めて困難になり、さらに、記憶領域へアクセスするための条件として、タグを切り離して表示される情報（アクセスコード）による認証を追加することで、強固なセキュリティ機能を持つタグを提供することが可能となる。また、表示する情報と連動して、各記憶領域へのアクセス制限情報を提供することでよりきめ細やかなアクセスコントロールの機能を提供することが可能となる。
【発明を実施するための最良の形態】
【００１３】
以下、本発明の実施の形態による機能性ＩＣタグについて図面を参照しつつ説明を行う。本実施の形態による機能性ＩＣタグは、切り離しによる機能変更・情報の提示手段を備えていることを特徴とする。図１は、タグ本体からの切り離し可能部分の数ｎが２であるＩＣタグの基本的な構成例を示す図である。図２は、紙、プラスチック等の絶縁体基板９０上に構成された、図１に示すＩＣタグの構造を示す斜視図である。
【００１４】
図１及び図２に示すように、本実施の形態によるＩＣタグは、切り離し可能なＡ１部分及びＡ２部分と、切り離しができない非切り離し部分Ｂ（タグ本体）の３つの部分から構成されている。Ａ１部分、Ａ２部分、及びＢ部分は、それぞれＩＣ１（１０）、ＩＣ２（２０）、及びＩＣ３（３０）と、タグと外部（タグとの間でデータのやり取りを行うリーダー／ライター装置等）とのインタフェースとして機能する、アンテナ１、アンテナ２、及びアンテナ３をそれぞれ備えている。
【００１５】
ＩＣ１（１０）とＩＣ２（２０）との間の信号伝送用の信号線路Ｌ１が、ＩＣ１（１０）とＩＣ２（２０）とを繋いでおり、ＩＣ２（２０）とＩＣ３（３０）との間の信号伝送用の信号線路Ｌ２が、ＩＣ２（２０）とＩＣ３（３０）との間を繋いでいる。信号線路Ｌ１は、Ａ１がタグ本体（この場合は、Ｂ及びＡ２）から切り離された場合に切断されるように構成されている。同様に、信号線路Ｌ２も、Ａ２がタグ本体から切り離された場合に切断されるようなレイアウトで配線されている。
【００１６】
尚、ＩＣ１（１０）、ＩＣ２（２０）、及びＩＣ３（３０）から、共通ＧＮＤ９１に接続されている線路ＳＬ１２、ＳＬ２１はＡ１部分が切り離された場合に切断され、ＳＬ２３、ＳＬ３２は、Ａ２部分が切り離された場合に切断されるように、Ａ１とＡ２との切り離し境界線、或いはＡ２とＢとの切り離し境界線に跨るようにレイアウトされている。線路ＳＬ１２、ＳＬ２１、ＳＬ２３、及びＳＬ３２は、線路切断によって発生する線路のインピーダンスの変化を検出し、Ａ１部分、或いはＡ２部分の切り離し判定に用いるために設けられた線路である。
【００１７】
図３は、ＩＣ１（１０）の構成例を示す機能ブロック図である。図３に示すように、ＩＣ１（１０）は、アンテナ１からの受信信号の一部を電力に変換する電源回路１（１１）と、タグの外部インタフェースであるアンテナ１に対して信号の受信・送信を行う送受信回路１２と、エンコードされたデータを変調する変調回路１３と、受信信号を復調する復調回路１４と、送信データのエンコードと受信データのデコードとを行うエンコード／デコード回路１５と、エンコード／デコード回路１５或いは信号線Ｌ１を介して送られてきたデータの処理を行うデータ処理回路１（１６）と、記憶装置１（１８）と、データ処理回路１（１６）と記憶装置１（１８）との動作を、タグの状態に応じて制御する制御回路１（１７）と、Ａ１がＡ２から切り離されたか否かをＡ１自身が判定するＡ１切り離し判定回路２（１９）と、を有して構成されている。
【００１８】
図４は、ＩＣ２（２０）の構成例を示す機能ブロック図である。図３と同様の構成については同じ符号を付してその説明を省略する。図４に示すように、ＩＣ２（２０）は、アンテナ２からの受信信号の一部を、電力に変換する電源回路１１と、タグの外部インタフェースであるアンテナ２に対して信号の受信・送信を行う送受信回路１２と、エンコードされたデータを変調する変調回路１３と、受信信号を復調する復調回路１４と、データのエンコード及びデコードを行うエンコード／デコード回路１５と、データの処理を行うデータ処理回路２（２１）と、記憶装置２（２３）と、データ処理回路２（２１）と記憶装置２（２３）との動作をタグの状態に応じて制御する制御回路２（２２）と、Ａ１がＡ２から切り離されたか否かをＡ２が判定するＡ１切り離し判定回路１（２４）と、Ａ２がＢから切り離されたか否かをＡ２自身が判定するＡ２切り離し判定回路４（２５）と、を有している。
【００１９】
図５はＩＣ３（３０）の構成例を示す図である。図５に示すように、ＩＣ３（３０）は、受信信号の一部を電力に変換する電源回路３（１１）と、タグの外部インタフェースであるアンテナ３に対して信号の受信・送信を行う送受信回路１２と、エンコードされたデータを変調する変調回路１３と、受信信号を復調する復調回路１４と、データのエンコード及びデコードを行うエンコード／デコード回路１５と、データの処理を行うデータ処理回路３（３１）と、記憶装置３（３３）と、データ処理回路３（３１）と記憶装置３（３３）の動作を、タグの状態に応じて制御する制御回路３（３２）と、Ａ２がＢから切り離されたか否かを、Ｂが判定するＡ２切り離し判定回路１（３４）と、を有している。
【００２０】
図６ａは、ＩＣ２のＡ１切り離し判定回路１（２４）の構成例を示す機能ブロック図である。図６ａに示すように、Ａ１切り離し判定回路１（２４）は、信号線路Ｌ１の切り離し検出装置１（４０）と、線路ＳＬ２１のインピーダンスの変化を検出するインピーダンス変化検出回路１（５０）と、から構成されている。
【００２１】
【表１ａ】
2006113981.tif 000003
【００２２】
【表１ｂ】
2006113981.tif 000004
【００２３】
【表１ｃ】
2006113981.tif 000005
【００２４】
【表１ｄ】
2006113981.tif 000006
【００２５】
信号線路Ｌ１の切り離し判定回路１（４０）は、ＩＣ１（１０）のデータ処理回路１（１６）から信号線Ｌ１を介して送られた識別用データと照合用データ４２との照合をデータ照合装置４１において行う。表１ａに示すように信号線Ｌ１を介してＩＣ１から送られた識別用データと照合用データとが一致した場合は「０」を出力し、一致しなかった場合は「１」を出力する。同様に線路ＳＬ２１のインピーダンスの変化を検出するインピーダンス変化検出回路１（５０）は、線路ＳＬ２１が、共通ＧＮＤに接地された状態にあるか否かを検出し、ＡＮＤ回路５３により表１ａに示すように線路ＳＬ２１が、共通ＧＮＤに接地された状態では「０」を出力し、線路ＳＬ２１が切断され開放状態となった場合には「１」を出力するように構成されている。
【００２６】
そして、Ａ１切り離し判定回路１（２４）は、表１ａに示すように、信号線路Ｌ１の切り離し判定回路１（４０）の出力と「インピーダンス変化検出回路１」の出力とのＡＮＤ回路５４による論理積を算出し、算出された論理積が「１」となった場合にＡ１がタグ本体から切り離されたものと判定する。
【００２７】
尚、信号線路Ｌ１の切り離し判定は、ＩＣ１とＩＣ２とに予め記録させておいたデータを、それぞれ識別用データと照合用データとして照合する方式を採用しても良いし、ＩＣ２（２０）から信号線路Ｌ１を介して任意の照合用データをＩＣ１（１０）へ送信し、ＩＣ１（１０）がこれを識別用データとして返信し、これを、信号線路Ｌ１の切り離し判定回路１（４０）で照合する方式を採用しても良い。
【００２８】
また、Ａ１切り離し判定回路１（２４）の動作説明では、信号線路Ｌ１の切り離し判定回路１（４０）の出力と、インピーダンス変化検出回路１（５０）の出力との論理積をＡＮＤ回路５４により算出し、論理積が「１」となった場合にＡ１がタグから切り離されたとしているが、判定方法はこれに限定されるものではない。例えば、信号線路Ｌ１の切り離し判定回路１（４０）の出力と、インピーダンス変化検出回路１（５０）の出力と、の論理和が「１」となった場合、すなわち信号線路Ｌ１或いは線路ＳＬ２１のいずれか１つが切断された場合にＡ１がタグから切り離されたと判定する方式を採用してもよい。この場合にはＡＮＤ回路５４の代わりにＯＲ回路を用いる。
【００２９】
尚、図６ａの線路ＳＬ２１のインピーダンス変化検出装置５０を例に、インピーダンス変化検出装置の動作を説明すると、以下のようになる。ＡＮＤ回路５３においては、２つの入力が共通化されている。Ａ１が切り離し線１で切り離される前には線路ＳＬ２１が切断されておらず、ＡＮＤ回路５３の２つの入力は、ＧＮＤの電位となっている。このため、ＡＮＤ回路５３の２入力は“Ｌｏｗ”となり、ＡＮＤ回路５３の出力は“０”となる。一方、Ａ１が切り離し線１で切り離されると線路ＳＬ２１も切断されるため、ＡＮＤ回路５３の２入力の電位は、Ｒ２×Ｖｃｃ/（Ｒ１＋Ｒ２）の“Ｈｉ”となり、ＡＮＤ回路５３出力は “１”となる。このようにして、インピーダンス変化検出装置５０は、Ａ１が切り離し線１で切り離されることによる、ＳＬ２１のインピーダンスの変化を検出することができる。
【００３０】
残る３つの切り離し判定回路（Ａ１切り離し判定回路２（１９）、Ａ２切り離し判定回路１（３４）、Ａ２切り離し判定回路２（２５））の構成例を、図６ｂ、図６ｃ及び図６ｄに示すとともに、各切り離し判定回路の切り離し判定表を表１ｂ、表１ｃ、及び表１ｄに示す。これらの図及び表からわかるように、３つの切り離し判定回の構成及び動作原理は、基本的にＡ１切り離し判定回路１（２４）と同様である。
【００３１】
図７ａ、図７ｂ、及び図７ｃは、記憶装置１（１８）、記憶装置２（２３）、及び記憶装置３（３３）の構成例を示すブロック図である。
【００３２】
図７ａに示すように、記憶装置１（１８）は、データ処理回路１（１６）からの記憶領域１（６４）および書き込み制御回路６１、読み出し制御回路６２、読み取り専用化回路６３を有している。書き込み制御回路６１は、制御装置１からの書き込み要求の制御データに基づいて、ＩＣタグの持つ第１の機能の動作に基づくデータ処理回路１（１６）からの書き込みデータを記憶領域１（６４）に記録する。読み出し専用化回路６３は、制御回路１（１７）からの読み取り専用化要求の制御データに基づいて、記憶領域１（６４）へデータの書き込みを妨げる。これによってデータの書き込みを行うことができなくなり、記憶装置１（６４）は読み取り専用となる。読み出し制御回路６２は、制御装置１（１７）からの読み出し要求の制御データに基づいて、記録領域１（６４）に記録されているデータをデータ処理装置３（３１）へと送り出す。
【００３３】
図７ｂは、ＩＣ２の記憶装置２の構成を示す図である。図７ｂに示すように、記憶装置２（２３）は、記憶装置１（１８）と同様に構成されており、記憶領域２（６５）に対して第２の機能の動作に基づく記録の書き込み処理および読み出し処理、読み取り専用化処理を行う。
【００３４】
図７ｃは、ＩＣ３の記憶装置３（３３）の構成例を示す図である。図７ｃに示すように、記憶装置３（３３）は、書き込み処理および読み出し処理、読み取り専用化処理については記憶装置１（１８）と同様の処理を行う。但し、記憶装置３（３３）は、第３の機能の動作に基づくデータを記録する記憶領域３（６６）に加えて、ＩＣ１およびＩＣ２がそれぞれ司る第１の機能および第２の機能の動作を記録するための、記憶領域１（６４）および記憶領域２（６５）から構成されている。
【００３５】
以下に、それぞれの記憶装置への記憶内容とともに、本実施の形態によるタグの利用方法の一例をより具体的に説明する。
１）図１に示すＩＣタグを、Ａ１、Ａ２、及びＢの全てが揃っている状態で、タグに製品識別コード、製造番号、製造年月日、出荷日時等のデータの入力し、製品にタグを貼付する。２）工場出荷時点で、タグからＡ１を切り離し、販売店へ出荷する。この際、切り離されたＡ１は、出荷元控えとして残す。３）販売店において、販売日時、販売店名等のデータを入力する。その上で、Ａ２を切り離し、Ｂだけとなったタグの付いた製品を購入者へ渡す。尚、切り離されたＡ２は、販売店控えとして残す。４）製品と共に購入者へ渡されたＢだけのタグは、購入者控えとなる。
【００３６】
【表２】
2006113981.tif 000007
【００３７】
以上のように、商品の流通管理に適用した場合の本実施の形態によるタグの状態変化と、それに伴うタグの機能変化と、の対応関係の一例を表２に示す。ＩＣ１の機能は、工場（出荷前）は、１）タグ外との通信制御、２）ＩＣ２、ＩＣ３との通信、３）記憶装置１から３までの記憶領域１のアドレスを指定、４）記憶装置１から３までの記憶領域１へのデータ１の書き込み命令の送出、５）記憶装置１の記憶領域１へのデータ１の書き込み、読み出し、である。尚、販売店サイド、購入者サイドでは、ＩＣ１はＡ１が切り離し済みであるため機能しない。
【００３８】
ＩＣ２の機能は、工場（出荷前）は、１）ＩＣ１、ＩＣ３との通信、２）ＩＣ３の記憶装置３へ記憶領域１以外への書き込み禁止命令の送出、３）記憶装置２の記憶領域１へのデータ１の書き込みである。販売店サイドでは、１）タグ外との通信制御、２）ＩＣ３との通信、３）記憶装置２と３の記憶領域２のアドレスを指定、４）記憶装置２の記憶領域２へのデータ２の書き込み、読み出し、５）記憶装置２の記憶領域１の読み出し専用化（リードオンリー）である。尚、購入者サイドでは、ＩＣ２はＡ２が切り離し済みであるため機能しない。リードオンリーにすることで、不要なデータの書き込みに起因するデータ改竄などを防止することができる。
【００３９】
ＩＣ３の機能は、工場（出荷前）は、１）ＩＣ１、ＩＣ２との通信、２）記憶装置３の記憶領域１へのデータ１の書き込みである。販売店サイドでは、１）ＩＣ２との通信、２）記憶装置３の記憶領域１の読み出し専用化、３）記憶装置３の記憶領域２へのデータ２の書き込み、である。購入者サイドでは、  １）タグ外との通信制御、２）記憶装置３の記憶領域１と２の読み出し専用化、３）記憶装置３の記憶領域３に対するデータ３の書き込み、読み出しである。
【００４０】
ここで、第１の機能は、製品識別コード、製造番号、製造年月日、出荷日時等のデータ（データ１）の入出力であり、第２の機能は、データ１の出力と、販売日時、販売店名等のデータ（データ２）の入出力であり、第３の機能は、データ１及びデータ２の出力と、  購入者によるメモ等の任意のデータ（データ３）の入出力である。
【００４１】
以上に説明したように、表２では、第１の機能を実現する制御の全てをＩＣ１（１０）が、第２の機能を実現する制御の全てをＩＣ２（２０）が、それぞれ司っている。
【００４２】
【表３】
2006113981.tif 000008
【００４３】
これに対して、表３に示すように上記第１の機能を実現する制御機能の一部をＩＣ１（１０）とＩＣ２（２０）とが、上記第２の機能を実現する制御機能の一部をＩＣ２（２０）とＩＣ３（３０）とが、それぞれ分担するようにしてもよい。すなわち、第１の機能のうち、記憶装置１（１８）から３（３３）までの記憶領域１（６４）のアドレスを指定する機能がＩＣ１（１０）からＩＣ２（２０）に渡され、記憶装置２（２３）と記憶装置３（３３）それぞれの記憶領域２（６５）のアドレスを指定する機能がＩＣ２（２０）からＩＣ３（３０）に渡され、ＩＣ２（２０）の、ＩＣ３（３０）の記憶装置３（３３）へ記憶領域２（６５）以外への書き込み禁止命令の送出が追加されている。このように、上記第３の機能である記憶装置３（３３）の記憶領域３（６６）へのデータの書き込みを、ＩＣ２（２０）が阻害するようにしても良い。表３に示すように、１つの機能を実現するための機能を複数のＩＣに分散させることにより、切り離す順序を無視した場合にはタグが正常に動作しないようになり、タグの不正使用を抑制できる。
【００４４】
【表４】
2006113981.tif 000009
【００４５】
表４は、図１のＩＣタグを上記の流通管理に適用した場合の、本実施の形態によるタグの状態変化と、それに伴うタグの機能変化の対応関係、及び前記記憶装置１から３の各記憶領域に格納された情報と、各記憶領域の状態の関係を示す表である。
【００４６】
表４に示すように、タグの状態変化（切り離し）に応じて、記憶装置１から３のそれぞれの記憶領域に格納された情報への書き込みが制限される（工場における記憶領域１の格納データでは、データの書き込み、読み出し可、販売店における記憶領域１の格納データでは、データの読み出しのみ可、購入者サイドにおける記憶領域１の格納データでは、データの読み出しのみ可などの制限がある。記憶領域２、３にもそれぞれ表４に示す制限がある。）ため、情報の改竄に対する耐性が向上する。
【００４７】
【表５】
2006113981.tif 000010
【００４８】
表５に、図１のＩＣタグを流通管理に適用した場合の、タグ本体から切り離された後のＡ１、Ａ２のＩＣタグとしての機能を示す。Ａ１、Ａ２は、外部インタフェースと、電源回路を独立して備えているため、表５に示すように、Ａ１、Ａ２は、タグ本体から切り離された後にもＩＣタグとしての機能を備えている。
【００４９】
すなわち、Ａ１は、切り離し後も製品識別コード、製造番号、製造年月日、出荷日時等のデータ（データ１）の出力を独立して行うことができる。Ａ２は切り離し後も、データ１と販売日時、販売店名等のデータ（データ２）の出力を独立して行うことができる。Ｂは、データ１及びデータ２の出力と、購入者によるメモ等の任意のデータ（データ３）の入出力とを行うことができる。これらの機能を利用することで、それぞれのサイドにおいてデータの管理に役立てることができる。
【００５０】
尚、上記実施の形態においては、タグと外部との情報のやり取りは、電波に代表される無線を用いた非接触型を採用した例について説明したが、タグと外部との情報のやり取りの方法はこれに限定されるものではなく、例えば接触型を採用してもよい。
【００５１】
図１０、図１１は、本実施の形態による切り離しによる機能変更・情報の提示手段を備えた機能性ＩＣタグを用いたタグの一構成例を示す概略図である。図１０、１１（Ａ）、（Ｂ）に示すように、本実施形態によるＩＣタグは、タグＡ１（Ａ１）とタグＡ２（Ａ２）とタグＡ３（Ａ３）との３つの部分により構成されており、タグＡ１（Ａ１）とタグＡ２（Ａ２）はタグＡ３（Ａ３）とはそれぞれが切り離し可能である。
【００５２】
以下に、商品の流通過程に沿ってタグの状態の変化例について説明する。まず、メーカーは、タグＡ１〜Ａ３までの全てが揃った状態（情報１が表示されている）から、タグＡ（Ａ１）を切り離して商品を出荷する。タグＡ（Ａ１）を切り離した状態で初めて情報２が表示される。販売店では、タグＡ２及びＡ３が揃って情報２が表示された状態（Ａ２−Ａ３）で商品が入荷する。販売店においてタグＡ２（Ａ２）を切り離し、消費者の手に渡るときにはタグＡ３（Ａ３）のみが残り、情報３が表示される。
【００５３】
図１２は、図１１に示すＩＣタグの一構成例を示す断面図である。情報１はタグＡ１上に埋め込まれ、情報２はタグＡ２（Ａ２）上に埋め込まれた状態でタグＡ１（Ａ１）の下面により覆われており、情報３はタグＡ３（Ａ３）に埋め込まれた状態でタグＡ２（Ａ２）の下面により覆われており、それぞれタグＡ１，タグＡ２が切り離されるまで情報の内容を確認できないような構造になっている。
【００５４】
図１３（Ａ）、（Ｂ）は、本実施の形態によるタグと外部のリーダー／ライター装置との間でやり取りされるデータの構成例を示す図である。図１３（Ａ）、（Ｂ）に示すように、やり取りされるデータには、読み出し要求データ（図１３（Ａ））と書き込み要求データ（図１３（Ｂ））との２種類のデータが存在する。図１３（Ａ）に示す読み出し要求データは、読み出し要求であることを示す読み出し命令コード１３０１と、タグＩＤ１３０２と、データの誤りを訂正するためのエラー訂正符号１３０３と、を有している。図１３（Ｂ）に示す書き込み要求データは、書き込み要求であることを示す命令コード１３０４と、タグＩＤ１３０５と、書き込みデータ１３０６と、エラー訂正符号１３０７と、を有している。これらのデータ構成に基づいて、どのタグからどのタグに対して読み出し又は書き込みの命令が出されたかと、書き込みの場合には書き込みデータの内容と、エラーに対応する訂正符号と、がタグとタグリーダー／ライターとの間でやり取りされる。
【００５５】
以下に、本発明の実施の形態によるＩＣタグを商品の流通管理（例えば電化製品の流通過程）に応用した例であり、図１８から図２１までを参照しながら説明を行う。図１８（Ａ）から（Ｃ）までは、それぞれ、記憶領域１８０１、記憶領域１８０２、記憶領域１８０３に記録されているデータの構成例を示す図である。
【００５６】
図１８に示すデータは、図７ｃに示す第１から第３までのそれぞれの記憶領域に記憶されているデータに対応する。記憶領域１８０１には、キーコードＡ１（１８０７）と、アクセス権限Ａ１（１８０８）と、が書き込まれている。キーコードＡ１（１８０７）は、後述するタグＩＤ１８１３の内容に基づいて生成される。アクセス権限Ａ１（１８０８）については後述する。記憶領域１８０２、記憶領域１８０３にも、同様にキーコードＡ２（１８０９）、キーコードＡ３（１８１１）、アクセス権限Ａ２（１８１０）、アクセス権限Ａ３（１８１２）のそれぞれが書き込まれる。
【００５７】
本実施の形態によるタグでは、キーコードＡ１（１８０７）は情報１と、キーコードＡ２（１８０９）は情報２と、キーコードＡ３（１８１１）は情報３と、それぞれ対応付けられており、タグＩＤ１８１３の内容に基づいて生成される。記憶領域１８０１は、商品メーカー又はタグ製造業者のみが書き換え可能な記憶エリアであり、記憶領域１８０２は、販売店又はタグ製造業者のみが書き換え可能な記憶エリアであり、記憶領域１８０３のキーコードＡ３（１８１１）、アクセス権限Ａ３（１８１２）はユーザ又はタグ製造業者のみが書き換え可能な記憶エリアである。また、記憶領域１８０３は、前述のキーコードＡ３（１８１１）、アクセス権限Ａ３（１８１２）、タグＩＤ１８１３、メーカーコード１８１４、型名１８１５、バージョン１８１６、製造番号１８１７、修理履歴１８１８、販売店コード１８１９、購入日１８２０、延長保証１８２１、販売価格１８２２、ユーザ登録情報１８２３、ユーザ領域１８２４などが書き込まれている。記憶領域１８０３は、記憶エリア１８０４から１８０６までの３つの記憶エリアに大別され、記憶エリア１８０４は、メーカーのみが書き込むことが出来るメーカー用記憶エリアである。記憶エリア１８０５は販売店のみが書き込み可能な販売店用記憶エリアである。記憶エリア１８０６は特に制限なく誰でも書き込むことが可能なユーザ用記憶エリアである。より詳細に説明すると、タグＩＤ１８１３、メーカーコード１８１４、型名１８１５、バージョン１８１６、製造番号１８１７、修理履歴１８１８は、メーカーが書き込むデータであり、メーカー用記憶エリア１８０４に属する。販売店コード１８１９、購入日１８２０、延長保証１８２１、販売価格１８２２は販売店が書き込むデータであり、販売店用記憶エリア１８０５に属する。ユーザ登録情報１８２３、ユーザ領域１８２４は、消費者が自由に書き込むデータであり、ユーザ用記憶エリア１８０６に属する。
【００５８】
記憶領域１８０１、１８０２、１８０３に記録されているアクセス権限とは、キーコードによる記憶領域１８０３での各記憶エリアの読み書き制限を指定するものであり、前述のように、メーカー用記憶エリア１８０４、販売店用記憶エリア１８０５は、各々のキーコードでしか書き込むことは出来ないが、これらの記憶エリアに対しては各々参照する項目を指定することが可能であり、例えばアクセス権限Ａ１（１８０８）ではメーカー用記憶エリアに関するアクセス制限が記録されており、メーカーは全て読み書き可、販売店はタグＩＤ１８１３、メーカーコード１８１４、型名１８１５、製造番号１８１７は参照可、ユーザはタグＩＤ１８１３、型名１８１５、バージョン１８１６、修理履歴１８１８は参照可、というような細かな設定が可能である。
【００５９】
同様に販売店用記憶エリアについても、販売店がアクセス権限Ａ２１８１０に各々に対するアクセス権限を設定することが可能である。ユーザ用記憶エリアのみ特殊で、基本的には特に制限なく誰でも読み書きが可能だが、個人情報に関する項目はアクセス制限を設定することも可能である。
【００６０】
図１９は、本実施の形態によるＩＣタグの、外部からの入力要求、出力要求に対するタグにおける処理の流れを示すフローチャート図である。ここでは、商品の流通過程を例にして説明する。まず、タグ製造業者では、タグのデータを読み書きするためのリーダー／ライター装置を使用して、まずタグＡ３のみの状態でタグＩＤ１８１３を付与する（ステップＳ１９０１）。タグＩＤ１８１３とは、タグ自体に固有のＩＤであり、個々のタグを識別するために使用される。タグ内のデータの読み出しや書き込みの際にもタグＩＤを指定することにより特定のタグのみに関してデータを読み書きすることが出来る。タグＩＤの付与においては、記憶領域１８０３（図１８）にタグＩＤ１８１３を書込み、記憶領域１８０３にタグＩＤ１８１３をもとに生成したキーコードＡ３（１８１１）とアクセス権限Ａ３（１８１２）（すべて参照可）を書き込み、同時にキーコードＡ３（１８１１）に対応した情報３をタグＡ３に埋め込む。
【００６１】
次に、タグＡ２とタグＡ３とが接続された状態で、記憶領域１８０２にタグＩＤ１８１３をもとに生成したキーコードＡ２（１８０９）とアクセス権限Ａ２（１８１０）(すべて参照可)を書き込み、同時にキーコードＡ２（１８０９）に対応した情報２をタグＡ２に埋め込む（ステップＳ１９０２）。さらに、タグＡ１を接続した状態で、記憶領域１にタグＩＤ１８１３をもとに生成したキーコードＡ１（１８０７）とアクセス権限Ａ１（１８０８）（すべて参照可）を書き込み、同時にキーコードＡ１（１８０７）に対応した情報１をタグＡに埋め込む（ステップＳ１９０３）。
【００６２】
本実施の形態では、上記ＩＣタグに埋め込まれる情報は、ＩＣタグにアクセスするためのキーコードに対応付けられる情報もしくはタグＩＤ自体である。表記形式としてはバーコード等の機械で読み取ることが可能なもの、もしくは数字、文字、記号等の人間が読み取ることが可能なもので表記されている。これらの情報は、アクセスするためのコードだけではなく、ＩＣタグの機能変更方法もしくは機能変更方法にアクセスするための情報が埋め込まれてもよい。
【００６３】
キーコードＡ１（１８０７）、Ａ２（１８０９）、Ａ３（１８１１）は、本実施の形態においては、タグＩＤ１８１３そのものを使用するが、タグＩＤから特定のルールに基づいて自動生成したもの、タグＩＤとは関係なく乱数をもとに自動生成したもの、またセキュリティを重視してタグＩＤもしくは乱数をもとに生成した暗号などでもよい。タグＩＤの付与は、実際に使用する商品メーカーが行ってもよい。尚、このケースの場合は、キーコードＡ１（１８０７）、Ａ２（１８０９）、Ａ３（１８１１）は任意の数をもとにしたアクセスコードとなる。
【００６４】
メーカーは、商品を販売店に出荷する前に、上記切り離し可能な部分を供えたタグを貼り付ける。貼り付ける場所は、カードリーダー／ライター等の装置を使用して読み書き可能な位置であればどこでもよい。タグを貼り付けた後で、タグの表面に表示されているタグＩＤをリーダー／ライター装置で読み取り、リーダー／ライター装置を使用して、メーカーコード１８１４、型名１８１５、バージョン１８１６、製造番号１８１７、修理履歴１８１８などを書き込む（ステップＳ１９０４）。本実施の形態では、キーコードＡ１（１８０７）はタグＩＤを使用しているが、必要に応じて、例えばメーカーコードとタグＩＤとをもとにした新たなキーコードに変更してもよい。このようにすることにより、タグに関するセキュリティを高めることが可能となる。また、アクセス権限Ａ１（１８０８）についても、全て参照可としているが、必要に応じてメーカー用記憶エリアの項目毎に参照権限を指定することで必要な情報だけを公開することも可能である。
【００６５】
メーカーは、必要なデータを書き込んだ後、タグＡ１の部分を切り離し（ステップＳ１９０５）、その状態で商品を販売店へと出荷する（ステップＳ１９０６）。ここで、情報２が表示されるが、メーカーではそれ以上の処理は行わない。そして、販売店に送られた商品に貼り付けられているＩＣタグは、タグＡ２及びタグＡ３のみの構成となる。販売店では、タグの表面に表示されているタグＩＤ（情報２）をリーダー／ライター装置で読み取り、販売店コードなどを書き込む（ステップＳ１９０７）。
【００６６】
消費者が商品を購入すると（ステップＳ１９０８）、販売店はさらに消費者が購入した日付、販売価格、販売店独自の保証内容があればその内容等を書き込む（ステップＳ１９０９）。販売店ではデータを書き込んだ後、２枚目のタグＡ２を切り取り（ステップＳ１９１０）、消費者に商品を渡す。これにより、商品に貼り付けられているタグは、タグＡ３のみの構成となる。
【００６７】
商品を購入した消費者は、ＩＣタグのデータをタグＡ３に表示されたタグＩＤ（情報３）をリーダー／ライター装置で読み取り、リーダー／ライター装置を使用して、必要に応じてユーザ用記憶エリアにデータを書き込むことが可能である（ステップＳ１９１１）。
【００６８】
以上の処理の流れに関して、ＩＣタグ内部の動作について図２０及び図２１に示すフローチャート図を参照しながら説明する。まず、出力（読み出し）要求が出された際の動作に関して図２０に示すフローチャート図を参照しつつ説明を行う。処理を開始し、データ処理回路が外部からデータの読み出し要求（出力要求）を受けると（ステップＳ２０１）、読み出し要求により指定されたタグＩＤ１３０２（本実施の形態ではタグの表面に埋め込まれている）とタグ内部の記憶領域１８０３に格納されているタグＩＤ１８１３とが一致するか否かをチェックする（ステップＳ２０２）。両者が一致した場合は、記憶領域１８０３からデータを読み出して送受信回路を通じて外部に出力する（ステップＳ２０３）。これにより処理を終了する。
【００６９】
本実施の形態では、読み出しに関しては誰でも可能となっているが、キーコードとアクセス権限とを指定することにより、キーコード毎に記憶領域１８０３の記憶エリア毎に各項目の参照の可・不可を設定することが可能である。
【００７０】
ここで、読み出しに関して、切り離されたタグの裏面とタグの表面の両方に埋め込まれた情報を利用する処理例について、タグＡが切り離された状態において説明する。本実施の形態では、キーコードＡ２（１８０９）はタグＩＤ１８１３そのものであるため、情報２、２´に表示されている情報を装置で読み取り、あるアルゴリズムを通すことでタグＩＤ１８１３が生成される。ここで、あるアルゴリズムとは単純な四則計算や暗号で使用されるような複雑なアルゴリズムのいずれを用いても良い。
【００７１】
また、情報の秘匿性を高めるために、キーコードを書き換える処理の例について説明する。本実施の形態では、キーコードとしてはタグＩＤ１８１３そのものを使用しており、ＩＣタグに表示されている情報（タグＩＤ１８１３）を用いてタグとの通信を確認した後、販売店固有のＩＤとタグＩＤ１８１３とを加算した値を新しいキーコードとして書き込むことにより、販売店以外はタグと通信することが出来なくなり、情報の秘匿性を高めることが出来る。新しいキーコードの生成アルゴリズムは、キーコードと販売店固有のＩＤを用いるものであれば、単純な四則計算でも良いし、暗号で使用されるような複雑なアルゴリズムを使用しても構わない。消費者の場合においても同様の方法を用いることで情報の秘匿性を高めることが可能である。
【００７２】
次に、入力（書き込み）要求が出されたときの動作に関して図２１のフローチャート図を参照しつつ説明を行う。送受信回路を通じて外部からデータの書き込み要求があったとき（ステップＳ２１１）、データ処理回路は書き込み要求で指定されたタグＩＤ１３０５と、タグ内部の記憶領域１８０３に格納されているタグＩＤ１８１３と、が一致するか否かをチェックする（ステップＳ２１２）。タグＩＤ１３０５とタグＩＤ１８１３とが一致した場合、タグＡ１が存在しているか否かを判別する（ステップＳ２１３）。判別方法としては、本実施例においては、Ａ１切り離し判定回路の判定結果に基づいて行われる。
【００７３】
ステップＳ２１３の処理において、タグＡ１が存在すると判別されたということは、Ａ１とＡ２が接続されているということであり、さらにタグＡ３が存在するか否かを判別する（ステップＳ２１４）。
【００７４】
タグＡ３が存在するか否かについては、本実施の形態では、Ａ２切り離し判定回路の判定結果に基づいて行われる。ステップＳ２１４の処理において、タグＡ３が存在すると判別された場合に、記憶領域１８０３の記憶エリア１８０４に外部から入力された書き込みデータ１３０６を書き込む（ステップＳ２１６）。このステップＳ２１６の状態では、記憶領域１８０３のうち記憶領域１８０１と記憶領域１８０３との記憶エリア１８０４以外の記憶エリアには一切書き込みを行ない。
【００７５】
また、ステップＳ２１４の処理において、タグＡ３が存在しないと判別したとき、タグＡ１が存在するにもかかわらず、タグＡ３が存在しないという異常な状態であるので、何もせずに終了する。ステップＳ２１３の処理において、タグＡ１が存在しないと判別したとき、タグＡ２とＡ３が切り離されていないか判別する（ステップＳ２１５）。判別方法はＡ２切り離し判定回路の判定結果に基づいて行われる。タグＡ２とＡ３とが接続されていると判定されたとき（Ｙｅｓ）、記憶領域１８０２と記憶領域１８０３との記憶エリア１８０５に外部から入力された書き込みデータ１３０６を書き込む（ステップＳ２１７）。このステップＳ２１７の状態では、記憶領域１８０２と記憶領域１８０３のうち記憶エリア１８０５以外の記憶エリアには一切書き込みを行わない。
【００７６】
ステップＳ２１５の処理においてタグＡ２とＡ３とが切り離されていると判別された場合には、記憶領域１８０３のうち記憶エリア１８０６に、外部から入力されたデータ１３０６を書き込む（ステップＳ２１８）。このステップＳ２１８の状態では、記憶領域１８０３のうちキーコードＡ３（１８１１）とアクセス権限Ａ３（１８１２）及び記憶エリア１８０６以外の記憶エリアには一切書き込みを行わない。
【００７７】
アクセスコード変更の場合についても、上記フローに従って新しいアクセスコードが対応するキーコードの領域に書き込まれる。アクセス権限を変更する場合も上記フローに従ってアクセス権限の領域が書き換えることが可能となる。
【００７８】
次に、本実施の形態の変形例について説明する。図１４は、切り離し可能な部分を備えたタグの構造に関する変形例を示す図である。図１４に示すように、本変形例によるタグは、切り離し可能な部分と、切り離すことにより初めて情報が表示される部分と、を備えている。図１４に示す例では、タグＡ１、タグＡ２、タグＡ３を有しており、タグＡ１とタグＡ２、タグＡ２とタグＡ３とのそれぞれが少なくとも一部の領域において上下に重なり合っている構成を有する。図１４に示す場合には、タグ同士は切り離されるという表現よりはむしろ「剥がされる」という表現が近い。形状、切り離す方式及び情報が表示される部分はどのようなものでもよい。
【００７９】
図１５はタグの第１変形構造を示す断面図であり、情報の埋め込まれている部分のバリエーションを示す図である。図１５において、情報２はタグＡ２上に埋め込まれた状態でタグＡ１に覆われて情報が隠蔽されるように構成されており、情報３はタグＡ３に埋め込まれた状態でタグＡ２に覆われていて、各々タグＡ１，タグＡ２が切り離される（剥がされる）までは情報の内容を確認出来ないような構造になっている。
【００８０】
図１６に示す第2変形構造は、情報２はタグＡ１のタグＡ２側に埋め込まれた状態でタグＡ１に覆われており、情報３はタグＡ２のタグＡ３側に埋め込まれた状態でタグＡ２に覆われて情報が隠蔽するように構成されているため、各々タグＡ１，Ａ２が剥がされるまでは情報の内容を確認出来ないような構造になっており、内容の確認を行うためには、切り離されたタグＡ１、タグＡ２の裏面に情報が表示される情報を知る必要がある。このため、この構造では、切り離されたタグ（この場合はタグＡ１）が存在しないとその裏面に記載されている情報を得ることが出来ない。従って、内容の確認のためには、切り離されたタグの情報を見る必要があるため、情報のセキュリティを高めることが出来る。
【００８１】
図１７においては、情報２はタグＡ１のタグＡ２側に埋め込まれた状態で、情報２’はタグＡ２上に埋め込まれた状態でタグＡ１に覆われていて、情報３はタグＡ２のタグＡ３側に埋め込まれた状態で、情報３’はタグＡ３上に埋め込まれた状態でタグＡ２に覆われており、それぞれ情報がタグの部分又は他の情報により隠蔽されており、各々タグＡ１、Ａ２が切り離されるまで情報の内容を確認出来ない構造になっている。そして、タグＡ１が切り離されることにより情報２、情報２’が、タグＡ２が切り離されることにより情報３、情報３’が表示されるようになっている。このため情報２と情報２’、情報３と情報３’をそれぞれ対の情報として意味をなすような組み合わせ情報を情報２と情報２’、情報３と情報３’とのペアで初めて提供されるようにすることができ、より強力なセキュリティを提供することが可能となる。
【００８２】
次に、タグに埋め込まれている情報の秘匿性を高めるために、切り離し判定に用いるために設けられた線路の形状を工夫した例について図２２及び図２３を参照して説明する。図２２は本実施例での情報がタグＡ２側に埋め込まれている例でのタグの断面図、図２３はその平面図を示している。図１に示す線路の形状では、線路を切断せずに下のタグに埋め込まれているタグの情報を確認することが可能であるが、図２２、２３に示す信号線の構成、すなわち、信号線がタグＡ１とタグＡ２との境界に情報１が埋め込まれており、かつ、この境界において信号線が接合している構造を用いることにより、信号線を切断することなしに情報１を見る（確認する）ことが不可能となる。情報１を露出しようとすれば、必ず線路が切断されるからである。このような形状の線路を用いることにより、より情報の秘匿性を高めることが可能となる。
【００８３】
以上に説明したように、本発明の実施の形態によるＩＣタグによれば、切り離し可能な部分を備え、切り離されることにより初めて情報が表示される部分を備えたタグにおいて、切り離し可能な部分がすべて揃っている状態では、タグ内の特定の記憶領域のみにアクセス出来る。しかし、一部を切り離すと、その記憶領域にはアクセスできなくなり、別の記憶領域へのアクセスが可能となる。
【００８４】
このように、タグの物理的な状態によって機能が変化するため、後からタグ内のデータを参照したり改ざんしたりすることが極めて困難になり、さらに、記憶領域へアクセスするための条件として、タグを切り離して表示される情報（アクセスコード）による認証を追加することで、強固なセキュリティ機能を持つタグを提供することが可能となる。また、表示する情報と連動して、各記憶領域へのアクセス制限情報を提供することでよりきめ細やかなアクセスコントロールの機能を提供することが可能となる。
【００８５】
以上、本実施の形態に沿って説明したが、本発明はこれらの例に限定されるものではなく、様々な変形が可能であることは言うまでもない。これらのシステムはサービスの提供に関する伝票管理システムなどにも応用可能である。
【産業上の利用可能性】
【００８６】
本発明は、高いセキュリティが求められるタグを用いたシステムに適用できる。
【図面の簡単な説明】
【００８７】
【図１】本発明の実施の形態によるタグ本体からの切り離し可能部分の数ｎが、ｎ＝２のＩＣタグの構成例を示す図である。
【図２】図１のＩＣタグの構造を示す斜視図である。
【図３】ＩＣ１の構成例を示す機能ブロック図である。
【図４】ＩＣ２の構成例を示す機能ブロック図である。
【図５】ＩＣ３の構成例を示す機能ブロック図である。
【図６ａ】Ａ１切り離し判定回路１の構成例を示す図である。
【図６ｂ】Ａ１切り離し判定回路２の構成例を示す図である。
【図６ｃ】Ａ２切り離し判定回路１の構成例を示す図である。
【図６ｄ】Ａ２切り離し判定回路２の構成例を示す図である。
【図７ａ】記憶装置１の構成例を示す図である。
【図７ｂ】記憶装置２の構成例を示す図である。
【図７ｃ】記憶装置３の構成例を示す図である。
【図８】従来のＩＣタグを用いた管理システムの構成図。
【図９】従来のＩＣタグの構造を示す斜視図である。
【図１０】本発明の実施例における切り離しによる機能変更・情報の提示手段とを備えた機能性ＩＣタグの概略構成図である。
【図１１】本発明の実施例における切り離しによる機能変更・情報の提示手段とを備えた機能性ＩＣタグの概略構成図である。
【図１２】本発明の実施例における切り離しによる機能変更・情報の提示手段とを備えた機能性ＩＣタグの断面図である。
【図１３】外部のリーダー／ライター装置から入出力されるデータの形式を示した図である。
【図１４】本発明の一実施の形態による切り離し可能な部分を備えたタグの変形例を示す図である。
【図１５】本発明の一実施の形態による切り離し可能な部分を備えたタグの変形例の断面を示す図である。
【図１６】本発明の一実施の形態による切り離し可能な部分を備えたタグの変形例の断面を示す図である。
【図１７】本発明の一実施の形態による切り離し可能な部分を備えたタグの変形例の断面を示す図である。
【図１８】本発明の一実施例における記憶領域に格納されるデータ形式の構成例を示す図である。
【図１９】本発明の一実施例における商品の流通過程での処理の流れを示すフローチャート図である。
【図２０】本発明の一実施例におけるタグの出力要求に対する処理の流れを示すフローチャート図である。
【図２１】本発明の一実施例におけるタグの入力要求に対する処理の流れを示すフローチャート図である。
【図２２】本実施例による、情報がタグＡ２側に埋め込まれているタグの断面図である。
【図２３】図２２に示すタグの平面図である。
【符号の説明】
【００８８】
Ａ１、Ａ２、Ａ３…タグ、１〜３…アンテナ、１０、２０、３０…タグＩＣ、１１…電源回路１、１２…送受信回路、１３…変調回路、１４…復調回路、１５…エンコード／デコード回路、１６…データ処理回路１、１７…制御回路１、１８…記憶装置１、１９…Ａ１切り離し判定回路２。
【図１】
2006113981.tif 000011
【図２】
2006113981.tif 000012
【図３】
2006113981.tif 000013
【図４】
2006113981.tif 000014
【図５】
2006113981.tif 000015
【図６ａ】
2006113981.tif 000016
【図６ｂ】
2006113981.tif 000017
【図６ｃ】
2006113981.tif 000018
【図６ｄ】
2006113981.tif 000019
【図７ａ】
2006113981.tif 000020
【図７ｂ】
2006113981.tif 000021
【図７ｃ】
2006113981.tif 000022
【図８】
2006113981.tif 000023
【図９】
2006113981.tif 000024
【図１０】
2006113981.tif 000025
【図１１】
2006113981.tif 000026
【図１２】
2006113981.tif 000027
【図１３】
2006113981.tif 000028
【図１４】
2006113981.tif 000029
【図１５】
2006113981.tif 000030
【図１６】
2006113981.tif 000031
【図１７】
2006113981.tif 000032
【図１８】
2006113981.tif 000033
【図１９】
2006113981.tif 000034
【図２０】
2006113981.tif 000035
【図２１】
2006113981.tif 000036
【図２２】
2006113981.tif 000037
【図２３】
2006113981.tif 000038